(57)【要約】【課題】  後から屋根材に取り付けることができ、上に取り付ける部材の取り付け範囲や調整の範囲が広く、軒棟方向に位置する複数の固定ボルトの高さが一定で、強度も保てる金具を提供する。【解決手段】  屋根上取り付け金具Ａは、押圧金具ａとベース金具ｂとが回動可能に、ベース金具ｂと回動体ｄとが回動可能に組み合わせられており、押圧金具ａの内側には摺動体のボルト１１が突出している摺動体ｃが組み合わせられており、ベース金具ｂの第一挿入部ｂ６と第二挿入部ｂ８とを上下の屋根材の軒側に挿入し、ベース金具ｂの被押圧片ｂ２を介して押圧金具ａの押圧部ａ４で屋根材の軒側を押圧し、回動体ｄを押圧することで、その上の段の屋根材の軒側を押圧して屋根材に取り付ける。摺動体ｃの位置を調整し、屋根上取り付け金具Ａの上面に太陽光発電装置等を載せて、摺動体のボルト１１に固定する。【選択図】      図１３
2005009302.tif 000002
【特許請求の範囲】
【請求項１】
押圧金具とベース金具と回動体とが、
固定具を介して組み合わせられている屋根上取り付け金具であって、
押圧金具には、
側壁部と、
ボルト貫通部と、
屋根材を押圧する押圧部とが形成されており、
ベース金具には、
底部と、
底部の二辺を立ち上げた立面部とが形成されており、
前記底部は、軒棟方向となる側がそれぞれ延出されてハゼ下挿入部が形成されており、
回動体底部には、
前記ボルト貫通部に通すことができるボルトが取り付けられており、
ベース金具と押圧金具とが固定具を介して回動可能に組み合わせられており、
ベース金具と回動体とが固定具を介して回動可能に組み合わせられて成る屋根上取り付け金具。
【請求項２】
押圧金具には、
上面部と、
上面部の二辺を折り下げた側壁部とが形成されており、
上面部において棟側となる側の端縁が折り下げられた棟側折り下げ部と、
棟側折り下げ部の下縁が外側方向に折り曲げられたボルト貫通部とが形成され、
ボルト貫通部には穴があけられており、
側壁部において軒側となる側には穴があけられており、
その穴よりも下方の側壁部端縁には押圧部が形成されており、
前記上面部には軒棟となる方向に長穴が形成されており、
ベース金具には、
底部と、
底部の二辺を立ち上げた立面部とが形成されており、
底部において軒側となる側の端縁は折り下げられてから内側方向に折り曲げられており、
軒側の折り下げ箇所よりも内側の底部には被押圧片が形成されており、
棟側となる側は折り下げられてから外側方向に折り曲げられており、
立面部において軒側となる側には前穴が、
棟側となる側には後ろ穴があけられており、
回動体には、
回動体底部と、
その二辺を立ち上げた回動体側壁部とが形成されており、
回動体底部には、ボルト貫通部の穴に通すことができるボルトが上向きに突出して取り付けられており、
回動体側壁部には穴があけられており、
摺動体が前記ベース金具の底部上に摺動可能に組み合わせられており、
摺動体には、押圧金具の長穴から先端が突出されるボルトが取り付けられており、
ベース金具の立面部の間に押圧金具が組み合わせられており、
ベース金具の前穴と押圧金具の穴とが合わせられて、
それぞれの穴に貫通された固定具を介して回動可能に組み合わせられており、
前記立面部の後ろ穴と前記回動体側壁部の穴とが合わせられて、
それぞれの穴に貫通された固定具を介して回動可能に組み合わせられて成る屋根上取り付け金具。
【請求項３】
押圧金具には、
上面部と、
上面部の二辺を折り下げた側壁部とが形成されており、
上面部において棟側となる側の端縁が折り下げられた棟側折り下げ部と、
棟側折り下げ部の下縁が外側方向に折り曲げられたボルト貫通部とが形成され、
ボルト貫通部には穴があけられており、
側壁部において軒側となる側には穴があけられており、
その穴よりも下方の側壁部端縁には押圧部が形成されており、
ベース金具には、
底部と、
底部の二辺を立ち上げた立面部とが形成されており、
立面部の内側を折り曲げて折り曲げ部が形成されており、
底部において軒側となる側の端縁は折り下げられてから内側方向に折り曲げられており、
軒側の折り下げ箇所よりも内側の底部には被押圧片が形成されており、
棟側となる側は折り下げられてから外側方向に折り曲げられており、
立面部において軒側となる側には前穴が、
棟側となる側には後ろ穴があけられており、
回動体には、
回動体底部と、
その二辺を立ち上げた回動体側壁部とが形成されており、
回動体底部には、ボルト貫通部の穴に通すことができるボルトが上向きに突出して取り付けられており、
回動体側壁部には穴があけられており、
ベース金具の立面部の間に押圧金具が組み合わせられており、
ベース金具の前穴と押圧金具の穴とが合わせられて、
それぞれの穴に貫通された固定具を介して回動可能に組み合わせられており、
前記立面部の後ろ穴と前記回動体側壁部の穴とが合わせられて、
それぞれの穴に貫通された固定具を介して回動可能に組み合わせられており、
前記ベース金具の折り曲げ部と押圧金具の上面部との間には、
上向きに突出しているボルトが取り付けられている摺動体が摺動可能に組み合わせられて
成る屋根上取り付け金具。
【発明の詳細な説明】
【技術分野】
【０００１】
本発明は、横葺き屋根材に取り付けられる金具において、特に、後から取り付けられる金具に関するものである。
【背景技術】
【０００２】
従来技術について、図２９（ア）（イ）により説明する（特許文献１参照）。これは特開平１０−１８５２６号公報に示されている屋根上取り付け金具Ａである。この屋根上取り付け金具Ａは、一端部に瓦一枚分の厚み代ｉを保持して折り曲げて鉤部ｊ１を形成し、他端部上面にはボルト９を植設した帯状スライダーｊと、該帯状スライダーｊを摺動可能に両側部を内側に折り曲げて受け部ｋ１を形成した本体ｋとから成っている。
そして、受け部ｋ１の一端は、瓦一枚分の厚み代ｉ’を保って折り返し、受け部ｋ１と平行に延び、さらに瓦一枚分の厚み代ｉ’’を保って下方に折り曲げ、その端部に鉤部ｋ２を形成し、前記帯状スライダーｊと本体ｋの鉤部ｋ２にそれぞれ止め板８・８を介して屋根材５’に固定する。
この屋根上取り付け金具Ａには、屋根材５’の軒側に挿入するという技術と、２つの部材の組み合わせで摺動可能にするという技術が開示されている。
【０００３】
図３０（ア）（イ）（ウ）は、他の従来技術を表している（特許文献２参照）。これは特開２００３−８２８２４号公報に示されている屋根上取り付け金具Ａである。この屋根上取り付け金具Ａは、上部の屋根材５’と下部の屋根材５’との間に挿入される挿入部Ａ１と、挿入部Ａ１の一端から延出されていて下地材６に固定される固定部Ａ２と、挿入部Ａ１の他端から立ち上がり部Ａ３を経由して固定部Ａ２の方向に折り返された支持部Ａ４とから成っている。そして、その支持部Ａ４が、下地材６と平行となっている。支持部Ａ４には、縦方向・横方向または十字状に長穴Ａ５があけられている。
このような屋根上取り付け金具Ａの挿入部Ａ１を、上段と下段の屋根材５’・５’の間に挿入して、固定部Ａ２を下地材６に固定する。または、屋根上取り付け金具Ａの固定部Ａ２を下地材６に固定してから、挿入部Ａ１に上段の屋根材５’を挿入する。そして、ボルト９を支持部Ａ４の長穴Ａ５内で移動して位置を定めて、支持部Ａ４に太陽光発電装置等を固定する。
この屋根上取り付け金具Ａには、長穴Ａ５によって、上面に取り付けられる装置の位置を調整することができるという技術と、屋根材５’の軒側に挿入するという技術と、支持部Ａ４が下地材６と平行であるという技術が開示されている。
【０００４】
しかし、図２９に示した従来技術と図３０に示した従来技術は、屋根材を施工しながら屋根上取り付け金具を取り付けなければならない。このため、屋根材の施工後に屋根上取り付け金具を取り付けることができなかった。
【０００５】
図３１（ア）（イ）は、さらに他の従来技術を表している（特許文献３参照）。（ア）において、（ａ）から（ｃ）の手順で取り付けていくことを示しており、（ｄ）は（ｃ）のＡ−Ａ断面を示している。（イ）において、（ａ）は屋根材５への取り付け状態を示しており、（ｂ）はその一部を拡大したものである。
これは、特開２００３−９６９８７号公報に示されている屋根上取り付け金具Ａであり、摺動体ｃとベース金具ｂとから成っており、摺動体ｃには上向きに摺動体のボルト１１が突出して固定されている。ベース金具ｂには、上方に係止用開口部を有するレール溝ｂ１１が設けてあり、摺動体のボルト１１の頭をレール溝ｂ１１に組み合わせる。
そして、ベース金具ｂを屋根材５’上面に載せて下地材に固定し、次に、レール溝ｂ１１に沿って摺動体ｃを所定の位置に動かしてからナット２で締めて摺動体のボルト１１を固定し、その摺動体ｃの上面に太陽光発電装置等を取り付ける。
このように、図２９の屋根上取り付け金具Ａには、摺動体ｃがレール溝ｂ１１内を摺動することによって、上面に取り付けられる装置の位置を調整することができるという技術と、屋根材５’の施工後に取り付けられるという技術が開示されている。
【０００６】
しかし、図３１に示した従来技術は屋根材の上から直止めするため、その止着箇所が、軒先方向への荷重や金属製屋根材の伸縮によって切れる恐れがあり、防水のためのシーラー材を介していても、シーラー材の劣化により雨漏りする可能性があった。
また、摺動体は、ベース金具の底面に沿って動き、下地材の面ではなく屋根材の面板部と平行に移動する。このため、摺動体の傾斜は、屋根材の面板部の傾斜から影響を受けるので、面板部の軒側が高く棟側が低い横葺き屋根材に使用すると、摺動体の上面が傾いてしまう。軒棟方向に並んでいる屋根上取り付け金具の上に太陽光発電装置等を載せると、太陽光発電装置等の軒棟方向の位置が平行とはならずに安定性を欠いてしまう。
【０００７】
続いて、他の従来技術について、図３２から図３５により説明する。これは、出願人がすでに出願している屋根上取り付け金具Ａに関するものである（特願２００２−３０６６４７号）。
それは、図３２の通り、押圧金具ａとベース金具ｂと摺動体ｃとの組み合わせから成るものである。押圧金具ａは、全体として下向きに開口する形状であり、太陽光発電装置の架台等を取り付けるための支持枠が載せられる上面部ａ１と、上面部ａ１の両側であって屋根の左右方向となる側を折り下げた側壁部ａ２・ａ２とが形成されている。側壁部ａ２・ａ２の一側であって取り付ける際に軒側となる側は延出されて穴ａ５・ａ５があけられており、その下方は、ベース金具ｂの被押圧片ｂ２を押圧して、さらに屋根材５の面板部５３を押圧するための押圧部ａ４・ａ４となっている。
また、上面部ａ１には、取り付けたときに軒棟方向に長い長穴ａ３が形成されており、上面部ａ１の一側であって取り付けたときに棟側となる側は、折り下げて棟側折り下げ部ａ８を形成してからさらに延出されて、穴のあいているボルト貫通部ａ６が形成され、ボルト貫通部ａ６が延出されて上段屋根材押圧部ａ９が形成されている。
【０００８】
ベース金具ｂには、底部ｂ１と、底部ｂ１の左右が立ち上げられた立面部ｂ３・ｂ３とが形成されている。そして、立面部ｂ３・ｂ３の上縁を内側方向に折り曲げた折り曲げ部ｂ４・ｂ４が形成されている。立面部ｂ３・ｂ３の一側であって取り付ける際に軒側となる側には穴ｂ９・ｂ９があけられている。
また、底部ｂ１の一側であって取り付ける際に軒側となる側には、底部ｂ１に切り込みを入れた被押圧片ｂ２が形成されており、他側であって取り付ける際に棟側となる側は、底部ｂ１より延出されている。そして、そこに、上向きに突出しているベース金具のボルト１３が取り付けられており、さらにその面が延出されて、上の段に施工されている屋根材５の軒側ハゼ部５１の下側に挿入される第二ハゼ下挿入部ｂ８が形成されている。
底部ｂ１の軒側端縁は折り下げられて第一折り下げ部ｂ５となっており、第一折り下げ部ｂ５の下縁を内側方向に折り曲げて、底部ｂ１が載せられる屋根材５の軒側ハゼ部５１の下側に挿入される第一ハゼ下挿入部ｂ６が形成されている。
摺動体ｃは、摺動体のボルト１１が突出している平面部ｃ１と、その両脇に形成されたＶ字状部ｃ２・ｃ２とを有している。
これら、押圧金具ａ・ベース金具ｂ・摺動体ｃの組み合わせは、まず、ベース金具ｂに、摺動体のボルト１１が突出している摺動体ｃを組み合わせる。次に、ベース金具ｂの立面部ｂ３・ｂ３の間に押圧金具ａを組み合わせるが、摺動体ｃのＶ字状部ｃ２・ｃ２に押圧金具ａの側壁部ａ２・ａ２の下縁を当て、長穴ａ３から摺動体のボルト１１を突出させる。
続いて、ベース金具Ｂの穴ｂ９と押圧金具ａの穴ａ５とを合わせて、ワッシャー３をはめてから、左右貫通ボルト１０を貫通して、ナット２で締め付けてベース金具ｂと押圧金具ａとを組み合わせる。こうして、ベース金具ｂに対して押圧金具ａが、左右貫通ボルト１０を介して組み合わせられて屋根上取り付け金具Ａを成している。このとき押圧金具ａは、ベース金具ｂに対して、左右貫通ボルト１０を介して回動可能に組み合わせられている。
【０００９】
その取り付けは、図３３（ア）（イ）（ウ）（エ）の順で行われる。まず、屋根上取り付け金具Ａのベース金具ｂの第二ハゼ下挿入部ｂ８を、上の段に施工されている屋根材５の軒側ハゼ部５１に、第一ハゼ下挿入部ｂ６を、底部ｂ１を載せる屋根材５の軒側ハゼ部５１に、それぞれ挿入し、底部ｂ１を屋根材５の面板部５３に載せる。
続いて、押圧金具ａを回動させて、そのボルト貫通部ａ６に形成された穴を、ベース金具ｂから突出しているベース金具のボルト１３に通す。このとき、押圧部ａ４・ａ４が被押圧片ｂ２の両端を押し、被押圧片ｂ２が屋根材５の面板部５３を押圧して食い込むように上面部ａ１を押す。さらに、ボルト貫通部ａ６の穴から突出しているベース金具のボルト１３を、ナット２で締め付ける。このとき、底部ｂ１が載せられている屋根材５の軒側を押圧部ａ４と第一ハゼ下挿入部ｂ６とで、その上段の屋根材５の軒側を上段屋根材押圧部ａ９と第二ハゼ下挿入部ｂ８とで挟むため、強固な固定ができる。
尚、図３３において、屋根材５の形状を、原形のまま描いているが、本来、屋根上取り付け金具Ａが取り付けられたときには、押圧により変形する。
こうして屋根材５上に取り付けられた屋根上取り付け金具Ａの上面部ａ１に、太陽光発電装置やアンテナやクーラー用室外機等を載せて、摺動体のボルト１１に取り付ける。それらの機器を直接取り付ける場合もあるし、それらの支持枠等を摺動体のボルト１１に取り付ける場合もある。
この屋根上取り付け金具Ａには、押圧金具ａの側壁部ａ２・ａ２下縁に沿って、摺動体ｃのＶ字状部ｃ２・ｃ２が摺動可能に組み合わせられている。従って、図３２に破線で示した通り、上面部ａ１に載せて取り付ける部材の位置に合わせて、押圧金具ａの長穴ａ３から突出させた摺動体のボルト１１を軒棟方向に動かして調整することができる。
この従来技術には、屋根材の施工後に、屋根材に穴をあけることなく取り付けることができるという技術と、摺動体によって、上面に取り付ける装置の位置を調整することができるという技術と、屋根材の軒側に挿入し、二段の屋根材を挟み込んで取り付けるという技術とが開示されている。    
【００１０】
しかし、図３２に示した屋根上取り付け金具は、屋根材に取り付けるためのナットをはめるベース金具のボルトが、屋根上取り付け金具が載せられる屋根材の棟側に位置している。このため、図３４にも示した通り、押圧金具の長穴から突出している摺動体のボルトの移動範囲が狭く、太陽光発電装置等の取り付け方によっては、調整幅が狭くて取り付けることができなかった。たとえば、モジュールの取り付けピッチの誤差に対応できないことがあった。
また、図３１に示した屋根上取り付け金具と同様に、屋根材の面板部の傾斜から影響を受けるという問題もある。図３４や図３５からわかるように、摺動体のボルトは、ベース金具の底面に沿って動く。つまり、下地材の面ではなく屋根材の面板部と平行に移動するのである。このため、押圧金具から出る摺動体のボルトの高さが一定ではなくなり、軒棟方向に複数取り付けた屋根上取り付け金具において、軒側に取り付けられた摺動体のボルトの方が、棟側のそれよりも高くなり、その摺動体のボルトに部材が当たってしまって取り付けることができない場合があった。
【特許文献１】特開平１０−１８５２６号公報
【特許文献２】特開２００３−８２８２４号公報
【特許文献３】特開２００３−９６９８７号公報
【発明の開示】
【発明が解決しようとする課題】
【００１１】
解決しようとする課題は、図３２に示した屋根上取り付け金具において、ベース金具のボルトが屋根上取り付け金具が載せられる屋根材の棟側に位置しているため、押圧金具の長穴から突出している摺動体のボルトの移動範囲が狭いという点である。
また、屋根材の面板部の傾斜から影響を受けるため、押圧金具から出る摺動体のボルトの高さが一定ではなくなってしまうという点である。
本発明は、押圧金具の長穴から突出している摺動体のボルトの移動範囲をより広くし、モジュールの取り付けピッチに対応できる屋根上取り付け金具で、また、摺動体のボルトが下地材の面と平行に移動し、軒棟方向に取り付けた複数の屋根上取り付け金具のボルトの高さが一定となる屋根上取り付け金具を提供する。
【課題を解決するための手段】
【００１２】
請求項１記載の屋根上取り付け金具は、押圧金具とベース金具と回動体との組み合わせから成っている。
押圧金具とベース金具と回動体とは、固定具を介して組み合わせられており、押圧金具には、側壁部と、ボルト貫通部と、屋根材を押圧する押圧部とが形成されている。
ベース金具には、底部と、底部の二辺を立ち上げた立面部とが形成されており、前記底部は、軒棟方向となる側がそれぞれ延出されてハゼ下挿入部が形成されている。
そして、ベース金具と押圧金具とが固定具を介して回動可能に組み合わせられており、ベース金具と回動体とが固定具を介して回動可能に組み合わせられて成る屋根上取り付け金具である。
【００１３】
請求項２記載の屋根上取り付け金具は、押圧金具とベース金具と回動体に加えて、摺動体を組み合わせたものである。
押圧金具には、上面部と、上面部の二辺を折り下げた側壁部とが形成されており、下向きに開口する形状となっている。そして、上面部において棟側となる側の端縁が折り下げられた棟側折り下げ部と、棟側折り下げ部の下縁が外側方向に折り曲げられたボルト貫通部とが形成されており、上面部からボルト貫通部にかけて略Ｚ字状となっている。ボルト貫通部には、回動体から上向きに突出しているボルトを通すための穴があけられている。側壁部において軒側となる側には、ベース金具の前穴と組み合わせてから、左右に貫通する固定具を通すための穴があけられており、その穴よりも下方の側壁部端縁には押圧部が形成されている。前記上面部には、軒棟となる方向に長穴が形成されている。
ベース金具には、底部と、底部の二辺を立ち上げた立面部とが形成されており、上向きに開口する形状となっている。そして、底部において軒側となる側は、端縁が折り下げられてから内側方向に折り曲げられており、さらに、軒側の折り下げ箇所よりも内側の底部には、押圧金具の押圧部によって押圧される被押圧片が形成されており、棟側となる側は折り下げられてから外側方向に折り曲げられている。立面部において軒側となる側には、押圧金具の側壁部の穴と組み合わせる前穴が、棟側となる側には、回動体の回動体側壁部の穴と組み合わせる後ろ穴があけられている。
回動体には、回動体底部と、その二辺を立ち上げた回動体側壁部とが形成されており、
回動体底部には、押圧金具のボルト貫通部の穴に通すことができるボルトが上向きに突出して取り付けられており、回動体側壁部には、ベース金具の後ろ穴と組み合わせられる穴があけられている。
摺動体には、屋根材に取り付けられたときに、前記長穴から先端が突出されるボルトが取り付けられており、摺動体は、ベース金具の底部上に摺動可能に組み合わせられている。
それらの部材は、次のように組み合わせられる。まず、ベース金具の立面部と立面部との間に、押圧金具の側壁部が位置するように組み合わせられる。そして、ベース金具の前穴と押圧金具の穴とを合わせ、それぞれの穴に貫通された固定具を介して、押圧金具が回動可能に組み合わせられている。
さらに、ベース金具の立面部と立面部との間に、回動体の回動体側壁部が位置するように組み合わせられる。そして、ベース金具の後ろ穴と回動体の穴とが合わせられ、それぞれの穴に貫通された固定具を介して回動体が回動可能に組み合わせられている。このようにして屋根上取り付け金具を成している。
【００１４】
請求項３記載の屋根上取り付け金具も、押圧金具とベース金具と回動体に加えて、摺動体を組み合わせたものである。
押圧金具には、上面部と、上面部の二辺を折り下げた側壁部とが形成されており、下向きに開口する形状となっている。そして、上面部において棟側となる側の端縁が折り下げられた棟側折り下げ部と、棟側折り下げ部の下縁が外側方向に折り曲げられたボルト貫通部とが形成されており、上面部からボルト貫通部にかけて略Ｚ字状となっている。ボルト貫通部には、回動体から上向きに突出しているボルトを通すための穴があけられている。側壁部において軒側となる側には、ベース金具の前穴と組み合わせてから、左右に貫通する固定具を通すための穴があけられており、その穴よりも下方の側壁部端縁には押圧部が形成されている。
ベース金具には、底部と、底部の二辺を立ち上げた立面部とが形成されており、上向きに開口する形状となっている。立面部の上端縁を内側方向に折り曲げて折り曲げ部が形成されている。そして、底部において軒側となる側は、端縁が折り下げられてから内側方向に折り曲げられており、さらに、軒側の折り下げ箇所よりも内側の底部には、押圧金具の押圧部によって押圧される被押圧片が形成されており、棟側となる側は折り下げられてから外側方向に折り曲げられている。立面部において軒側となる側には、押圧金具の側壁部の穴と組み合わせる前穴が、棟側となる側には、回動体の回動体側壁部の穴と組み合わせる後ろ穴があけられている。
回動体には、回動体底部と、その二辺を立ち上げた回動体側壁部とが形成されており、
回動体底部には、押圧金具のボルト貫通部の穴に通すことができるボルトが上向きに突出して取り付けられており、回動体側壁部には、ベース金具の後ろ穴と組み合わせられる穴があけられている。
それらの部材は、次のように組み合わせられる。まず、ベース金具の立面部と立面部との間に、押圧金具の側壁部が位置するように組み合わせられる。そして、ベース金具の前穴と押圧金具の穴とを合わせ、それぞれの穴に貫通された固定具を介して、押圧金具が回動可能に組み合わせられている。
さらに、ベース金具の立面部と立面部との間に、回動体の回動体側壁部が位置するように組み合わせられる。そして、ベース金具の後ろ穴と回動体の穴とが合わせられ、それぞれの穴に貫通された固定具を介して回動体が回動可能に組み合わせられている。こののちに、前記折り曲げ部と押圧金具の上面部との間に、上向きに突出している摺動体を摺動可能に組み合わせて屋根上取り付け金具を成す。
【発明の効果】
【００１５】
請求項ごとに取り付け方法を示しながら、効果を説明する。
請求項１に記載した屋根上取り付け金具の取り付け方法について説明すると、まず屋根材に対して次のように取り付ける。
ベース金具において、底部の両端縁からそれぞれ折り下げられてから、さらに折り曲げられた箇所を二段の屋根材の軒側ハゼ部に挿入する。次に、押圧金具を回動させて、そのボルト貫通部に形成された穴を、回動体から突出している回動体のボルトに通す。このとき、押圧金具の押圧部がベース金具の被押圧片を押し、被押圧片が屋根材の面板部を押圧して食い込ませるために上面部の棟側を押す。さらに、ボルト貫通部の穴から突出している回動体のボルトを、ナットで締め付ける。このようにして、二段の屋根材の軒側を押圧させることで屋根上取り付け金具が固定される。このとき、二段の屋根材の軒側を挟むため、強固な固定ができる。
回動体は、ベース金具の後ろ穴を介してベース金具と組み合わせられている。そして、屋根上取り付け金具は、屋根材に取り付けられるとき、上の段の屋根材の面板部の上面に位置する回動体のボルトを締めることで固定される。このため、上面部の長さを比較的長くすることができる。
こうして屋根材上に取り付けられた屋根上取り付け金具の上面部に、太陽光発電装置やアンテナやクーラー用室外機等を取り付ける。それらの機器を直接取り付ける場合もあるし、それらの支持枠等を上面部に取り付ける場合もある。
このようにして屋根上取り付け金具が取り付けられたとき、ベース金具の底部や押圧金具の上面部は、下地材の面と平行になっている。
つまり、請求項１によれば、部材を取り付けるための面及び摺動体のボルトが、屋根材の面板部に対してではなく、下地材の面に対して平行となる。このため、ベース金具の上面に取り付ける部材に支障を来すことがなくなる。このように、上面に載置する装置を取り付けるためのボルトの高さを一定にすることができるものである。
また、二段の屋根材にわたって差し架けられるので、上面に載置する部材や装置の取り付け位置調整範囲が広くなり、上面に取り付けられる部材や装置にいっそう対応しやすくなった。しかも、二段の屋根材の軒側に食い込ませるようにして挟み込んで固定するため、図３２に示した屋根上取り付け金具よりも強く取り付けることができる。
【００１６】
請求項２に記載した屋根上取り付け金具の取り付け方法について説明すると、請求項２記載の押圧金具の上面部に、軒棟となる方向に長穴が形成されている。そして、その長穴から先端が突出されるボルトが摺動体に取り付けられており、該摺動体が押圧金具の内側に位置し、ベース金具の底部に沿って摺動可能に組み合わせられている。
このため、長穴内において、ボルトを移動させることができる。そこで、ボルトが取り付けられている摺動体を、所定の位置に調整移動してから固定して用いる。あるいは、屋根上取り付け金具を取り付けてから、摺動体を所定の位置に調整移動して固定する。そして、押圧金具の上面部に、その上に取り付けられる部材を載せて、摺動体のボルトにナットを用いて締め付けて固定することができる。このように、請求項１記載の屋根上取り付け金具の構造に対して、部材や装置を取り付けるための機能が加わったものである。
このことにより、摺動体のボルトの摺動幅が広く、二段の屋根材に至るまでになったので、上面に取り付けられる部材にいっそう対応しやすくなった。あらかじめ、ボルトが上向きに突出している摺動体が組み合わせられているので、そのボルトを利用して上面に取り付ける部材や装置の位置決めをして容易に取り付けることができる。
【００１７】
請求項３に記載した屋根上取り付け金具の取り付け方法について説明すると、請求項３記載のベース金具には、立面部の上端縁を内側方向に折り曲げた折り曲げ部が形成されている。そして、その折り曲げ部と押圧金具の上面部との間には、上向きに突出しているボルトが取り付けられている摺動体が摺動可能に組み合わせられている。
屋根上取り付け金具を、屋根材に取り付けた後、ベース金具の折り曲げ部と押圧金具の上面部との間に摺動体を挿入する。摺動体は、軒棟方向に移動させることができるので、所定の位置に調整移動して用いる。そして、折り曲げ部の上面に、その上に取り付けられる部材を載せて、摺動体から突出しているボルトにナットを用いて締め付けて固定する。請求項３記載の屋根上取り付け金具も、請求項１記載の屋根上取り付け金具の構造に対して、部材や装置を取り付けるための機能が加わったものである。
請求項３によれば、摺動体のボルトの摺動幅を屋根材の葺き足より幅広くすることができ、摺動幅が請求項２の屋根上取り付け金具よりもいっそう広くなったので、上面に取り付けられる部材や装置にさらに対応しやすくなった。
【発明を実施するための最良の形態】
【００１８】
押圧金具とベース金具と回動体とが、固定具を介して組み合わせられて屋根上取り付け金具を構成している。
押圧金具には、側壁部と、ボルト貫通部と、屋根材を押圧する押圧部とが形成されている。ベース金具には、底部と、底部の二辺を立ち上げた立面部とが形成されており、前記底部は、軒棟方向となる側がそれぞれ延出されて、二段の横葺き屋根材の軒側にはめられるハゼ下挿入部が形成されており、回動体底部には押圧金具のボルト貫通部に通すことができるボルトが取り付けられている。そして、ベース金具と押圧金具とが固定具を介して回動可能に組み合わせられており、ベース金具と回動体とが固定具を介して回動可能に組み合わせられて、屋根上取り付け金具を成している。
このような屋根上取り付け金具のベース金具のハゼ下挿入部を、二段にわたる屋根材の軒側に挿入する。次に押圧金具を回動させて、回動体のボルトに押圧金具のボルト貫通部を通し、ナットで締め付けて固定する。
【実施例１】
【００１９】
本発明の実施例について、図面をもとに説明する。図１から図１２は、本発明の第一実施例の屋根上取り付け金具Ａの説明図であり、図１は斜視図、図２は分解斜視図、図３（ア）（イ）は回動体の回動状態を示す説明図、図４は平面図、図５は正面図、図６は側面図、図７（ア）（イ）図８（ア）（イ）は屋根材５への施工手順を示した図であり、図９は摺動体ｃの説明図であり、図１０は取り付け状態の説明図であり、図１１及び図１２は第一実施例の一部変形例を示す説明図である。
【００２０】
本発明の屋根上取り付け金具Ａは、押圧金具ａとベース金具ｂと摺動体ｃと回動体ｄとから成っている。そこで、これらの部材について、図１から図６に基づいて説明する。
押圧金具ａは、全体的に下向きに開口する形状をしており、上面部ａ１と、上面部ａ１の二辺を折り下げた側壁部ａ２・ａ２とを有している。そして、上面部ａ１には、取り付けたときに軒棟となる方向に長穴ａ３が形成されている。上面部ａ１の一側であって、取り付けたときに棟側となる側は折り下げられて棟側折り下げ部ａ８となっている。本実施例の棟側折り下げ部ａ８は、屋根上取り付け金具Ａが屋根材５に取り付けられたときに、回動体ｄの回動体底部ａ１に対して直角になるように設定されている。さらに、棟側折り下げ部ａ８の下縁が外側方向に折り曲げられてボルト貫通部ａ６を形成していて、ボルト貫通部ａ６には穴があけられている。
また、それぞれの側壁部ａ２・ａ２の一側であって、取り付けたときに軒側となる側には穴ａ５・ａ５があけられており、その穴ａ５・ａ５よりも下方の側壁部ａ２・ａ２端縁には、ベース金具ｂの被押圧片ｂ２を介して屋根材５の面板部５３を押圧することができる押圧部ａ４・ａ４が形成されている。
【００２１】
ベース金具ｂは、全体的に上向きに開口する形状をしており、底部ｂ１と、底部ｂ１の二辺を立ち上げた立面部ｂ３・ｂ３とを有している。
底部ｂ１において、取り付けたときに軒側となる側には端縁から内側にはいった箇所に切り欠きが入れられており、屋根材５の面板部５３に押し付けられる被押圧片ｂ２が形成されている。
そして、底部ｂ１の端縁が折り下げられて第一折り下げ部ｂ５となっており、その下縁が内側方向に折り曲げられて第一ハゼ下挿入部ｂ６となっている。底部ｂ１において、取り付けられたときに棟側となる側の端縁は折り下げられて第二折り下げ部ｂ７となっており、その下端縁が外側方向に折り曲げられて第二ハゼ下挿入部ｂ８となっている。
立面部ｂ３・ｂ３の上縁はそれぞれ内側方向に折り曲げられて折り曲げ部ｂ４・ｂ４となっている。折り曲げ部ｂ４・ｂ４は、立面部ｂ３・ｂ３を折り曲げることで強度を出すとともに、押圧金具ａの側壁部ａ２・ａ２が左右にずれるのを防いでいる。ひいては、側壁部ａ２・ａ２の幅を規制して、その下方端縁に形成されている押圧部ａ４・ａ４が横方向にずれずに、ベース金具ｂの被押圧片ｂ２・ｂ２をしっかり押圧できる。
それぞれの立面部ｂ３・ｂ３において、取り付けたときに軒側となる側には、押圧金具ａを組み合わせるための左右貫通ボルト１０を通すための前穴ｂ９１・ｂ９１があけられており、棟側となる側には、回動体ｄを組み合わせるための左右貫通ボルト１０を通すための後ろ穴ｂ９２・ｂ９２があけられている。さらに、立面部ｂ３・ｂ３において後ろ穴ｂ９２・ｂ９２よりも棟側となる側は、外側方向に行くにつれて高さが低い傾斜部分ｂ３１・ｂ３１となっている。
【００２２】
摺動体ｃは、平面部ｃ１と、その両脇に形成されているＶ字状部ｃ２・ｃ２とから成っている。そして、平面部ｃ１から上向きに、摺動体のボルト１１の先端が突出して取り付けられている。本実施例の場合には、平面部ｃ１の二辺をわずかに折り下げて側面部ｃ４・ｃ４を形成している。
回動体ｄは、上向きに開口する形状をしており、回動体底部ｄ１と、その二辺を立ち上げた回動体側壁部ｄ２・ｄ２とを有しており、回動体側壁部ｄ２・ｄ２には穴ｄ３・ｄ３があけられている。回動体底部ｄ１は、回動体側壁部ｄ２・ｄ２よりも後ろ側となる側が、前側よりも幅が広くなっている。つまり、回動体側壁部ｄ２・ｄ２はベース金具ｂの立面部ｂ３・ｂ３の内側にはいる幅であり、それよりも後ろで立ち上がっている面は、立面部ｂ３・ｂ３よりも外側に出る。さらに、回動体ｄには回動体のボルト１２が上向きに突出しており、屋根上取り付け金具Ａとして組み合わせられて屋根材５に取り付けられたときに、押圧金具ａの上面部ａ１・ａ１よりも低いものである。
【００２３】
これらの部材は、次のように組み合わせられている。
まず、ベース金具ｂの内側に、摺動体のボルト１１が上向きに突出している摺動体ｃを組み合わせる。次に、ベース金具ｂの立面部ｂ３・ｂ３の間に押圧金具ａを組み合わせるが、押圧金具ａの穴ａ５・ａ５とベース金具ｂの前穴ｂ９１・ｂ９１とを合わせる。このとき、図２のように、押圧金具ａの上面部ａ１が下面側に来るようにして組み合わせる。続いて、ワッシャー３をはめてから、左右貫通ボルト１０を貫通して、ナット２で締め付けてベース金具ｂと押圧金具ａとを組み合わせる。このとき押圧金具ａは、ベース金具ｂに対して、左右貫通ボルト１０を介して回動させることができるように組み合わせられている。そして、摺動体ｃは、押圧金具ａとベース金具ｂとの間で摺動することができるように組み合わせられている。尚、本実施例の場合には、押圧金具ａの側壁部ａ２・ａ２間の幅は、ベース金具ｂの折り曲げ部ｂ４・ｂ４間にはまる幅となっており、ベース金具ｂの底部ｂ１に沿って摺動する。
さらに、ベース金具ｂにおいて、屋根上に取り付けた時に棟側となる側に回動体ｄを組み合わせる。まず、ベース金具ｂの立面部ｂ３・ｂ３の内側に回動体ｄの回動体側壁部ｄ２・ｄ２をはめ、ベース金具ｂの後ろ穴ｂ９２・ｂ９２と回動体ｄの穴ｄ３・ｄ３とを合わせ、左右貫通ボルト１０を貫通させてワッシャー３やナット２を用いて、回動体ｄが回動可能になるように組み合わせる。本実施例の場合には、回動体底部ｄ１の周囲は立ち上げられている。
第一ハゼ下挿入部ｂ６と第二ハゼ下挿入部ｂ８とが、それぞれ二段の屋根材５・５に挿入される。このため、回動体ｄは、上段側の屋根材５を押圧することができるように、左右貫通ボルト１０によって、ベース金具ｂの第二ハゼ下挿入部ｂ８よりも後ろに回動可能に組み合わせられる。
また、本実施例の回動体側壁部ｄ２・ｄ２は、棟側に行くにつれて高くなっている。これは、摺動体ｃがなるべく棟側まで動くようにするためである。このようにして、屋根上取り付け金具Ａが成っている。尚、各部材を組み合わせている固定具として、左右貫通ボルト１０とナット２の組み合わせの代わりに、軸ピン等の他の固定具を用いてもよい。押圧金具ａとベース金具ｂとが回動可能に、ベース金具ｂと回動体ｄとが回動可能に組み合わせられていればよい。
【００２４】
このようにして製作された屋根上取り付け金具Ａの屋根材５への取り付け手順を説明する。まず、その屋根上取り付け金具Ａが取り付けられる屋根材５について、あらためて説明しておく。この屋根材５は金属板でできており、面板部５３と、その軒側を折り下げてから内側方向に折り曲げて形成された軒側ハゼ部５１と、面板部５３の棟側に形成された棟側ハゼ部５２とが形成されている。そして、下地材６に止着具を介して固定されているが、短尺の吊子を用いて固定することもあれば、長尺の通し吊子を用いて固定することもあれば、直止めすることもある。本発明の屋根上取り付け金具Ａは、この屋根材５に対して、施工後に取り付けることができることを特徴としている。
【００２５】
その取り付けは、図７（ア）（イ）図８（ア）（イ）の順で行われる。まず、屋根上取り付け金具Ａのベース金具ｂの第一ハゼ下挿入部ｂ６と第二ハゼ下挿入部ｂ８とを、二段にわたる屋根材５のそれぞれの軒側ハゼ部５１・５１の下に挿入する。                
次に、押圧金具ａを回動させて、そのボルト貫通部ａ６に形成された穴を、回動体ｄから突出している回動体のボルト１２に通す。このとき、押圧金具ａの押圧部ａ４・ａ４が被押圧片ｂ２の両端を押し、被押圧片ｂ２が屋根材５の面板部５３を押圧して食い込むように上面部ａ１の棟側を押す。さらに、ボルト貫通部ａ６の穴から突出している回動体のボルト１２を、ナット２で締め付ける。
このとき、屋根材５の軒側を、被押圧片ｂ２を介して押圧部ａ４と第一ハゼ下挿入部ｂ６とで、その上段の屋根材５の軒側を、回動体ｄの回動体底部ｄ１と第二ハゼ下挿入部ｂ８とでそれぞれ挟むため、強固な固定ができる。このようにして、二段の屋根材５・５の軒側を押圧させることで屋根上取り付け金具Ａが固定される。底部ｂ１を切り欠いて、押圧部ａ４を直接屋根材５に食い込ませることもできる。
尚、図８において、屋根材５の形状を、原形のまま描いているが、本来、屋根上取り付け金具Ａが取り付けられたときには、押圧により変形する。
【００２６】
本発明の屋根上取り付け金具Ａの棟側について詳述する。回動体ｄは、ベース金具ｂの後ろ穴ｂ９２・ｂ９２を介してベース金具ｂと組み合わせられている。そして、屋根材５に取り付けられるとき、上の段の屋根材５の面板部５３の上面に位置する回動体のボルト１２を締めることで屋根上取り付け金具Ａが固定されている。このため、図３２から図３５に示した従来技術とは異なり、摺動体ｃの移動距離を長くすることができる。
また、ベース金具ｂの立面部ｂ３・ｂ３の棟側に傾斜部分ｂ３１・ｂ３１が形成されており、さらに、回動体ｄの回動体底部ｄ１は回動体側壁部ｄ２・ｄ２よりも後ろが、ベース金具ｂの立面部ｂ３・ｂ３間の幅よりも広くなっている。そして、回動体ｄが組み合わせられている左右貫通ボルト１０を介して、ベース金具ｂに対して回動可能に取り付けられている。このため、ナット２をはめて回動体のボルト１２を締め付けると、回動体底部ｄ１の後部がナット２に引き付けられるようにして持ち上がり、回動体ｄの回動体底部ｄ１はベース金具ｂの傾斜部分ｂ３１・ｂ３１に当たって止まる。このとき、回動体ｄの回動体底部ｄ１の先端が下がって、屋根材５の軒側に食い込む。傾斜部分ｂ３１・ｂ３１は、そこに沿って回動体ｄが止まるための係止手段となっており、それぞれが平行になって止まるので安定して固定できる。
【００２７】
こうして屋根材５上に取り付けられた屋根上取り付け金具Ａの上面部ａ１に、太陽光発電装置やアンテナやクーラー用室外機等を取り付ける。それらの機器を直接取り付ける場合もあるし、それらの支持枠や金具等の部材を上面部ａ１に取り付ける場合もある。
それらの部材は、下穴不要ねじを用いて、取り付けるとよい。しかし、部材を仮止めしたり、取り付け位置を墨出ししたりする必要がある。このため、本実施例の屋根上取り付け金具Ａは、押圧金具ａの側壁部ａ２・ａ２下縁及びベース金具ｂの折り曲げ部ｂ４・ｂ４と立面部ｂ３・ｂ３の角部に沿って、摺動体ｃのＶ字状部ｃ２・ｃ２が組み合わせられている。図９に破線で示した通り、押圧金具ａの長穴ａ３から突出させた摺動体のボルト１１を軒棟方向に動かすことができるため、上面部ａ１に取り付ける部材の位置を調整して部材を固定する。
図３２に示した従来の屋根上取り付け金具Ａは、上段の屋根材５を挟み込むためのベース金具のボルト１３が、屋根上取り付け金具Ａが載せられる屋根材５の棟側に位置しており、摺動体のボルト１１の移動距離が短かった。しかし、本発明の屋根上取り付け金具Ａは、上段の屋根材５を挟み込むための回動体のボルト１２が、上段の屋根材５の上に位置している。このため、摺動体ｃの移動距離を長くすることができ、従って上に取り付けられる部材や装置の調整範囲を広くすることができる。
従来の屋根上取り付け金具Ａは、ベース金具のボルト１３を締め付けることで、棟側の屋根材５を挟み込んで固定していたが、本発明の屋根上取り付け金具Ａは、回動体ｄを組み合わせ、回動体のボルト１２を締め付けることで棟側の屋根材５を挟み込んで固定する違いによる。
【００２８】
また、本発明の屋根上取り付け金具Ａには、図３２の従来技術と比べて、次のような利点がある。本発明の屋根上取り付け金具Ａの摺動体のボルト１１の高さは、軒棟方向において、いつも一定である。これは、摺動体ｃが移動する面である押圧金具ａの上面部ａ１やベース金具ｂの底部ｂ１が下地材６の面に対して平行だからである。
従来の場合には、押圧金具ａの上面部ａ１は下地材６の面に対して平行で、ベース金具ｂの底部ｂ１は屋根材５と平行であった。また、摺動体ｃ及び摺動体のボルト１１は、屋根材５に対して平行であった。これは、いわゆる返り勾配または戻り勾配と呼ばれる状態であり、横葺きの屋根材５に段差があることにより、下地材６の面よりも屋根材５の面板部５３の方が緩い勾配であることを指す。従って、図３２に示した従来の屋根上取り付け金具Ａの摺動体ｃは、面板部５３に平行になることによる弊害を生じていたのである。つまり、摺動体のボルト１１が棟側よりも軒側の方が高く突出してしまい、上面部ａ１に部材を取り付けられないことがあった。しかし、本発明の屋根上取り付け金具Ａは、この問題点を解消することができる。軒棟方向に複数取り付けられた屋根上取り付け金具Ａの上に、太陽光発電装置等を架け渡しても、支障をきたすことがなくなる。
さらに、本発明の屋根上取り付け金具Ａにおいて、押圧金具ａの上面部ａ１と、ベース金具ｂの折り曲げ部ｂ４・ｂ４において、取り付けたときに軒側となる側から少しはいった箇所に切り欠きが成されている。この切り欠きは、太陽光発電装置等、上に取り付けられる部材の位置決めとなるものである。たとえば、切り欠きの一方の端に、上に取り付けられる部材の棟側端部を合わせて位置決めとすることができる。
【００２９】
続いて、図１１と図１２とにより、第一実施例の変形例について説明する。図１１の実施例では、押圧金具ａの上面部ａ１には、長穴ａ３が２つあけられている。そして、摺動体ｃには、摺動体のボルト１１が２本取り付けられている。このようにすることで、上面部ａ１に取り付ける部材を２つのナット２で締め付けることができる。１つの屋根上取り付け金具Ａの上面部ａ１に、左右の部材を載せて取り付けることもできる。
また、摺動体のボルト１１が１本突出している摺動体ｃを２つ用いて、１つの長穴ａ３に組み合わせることもできる。この場合には、摺動体ｃを軒側と棟側とに位置させて用いるというような使い方ができる。さらに、摺動体のボルト１１が１本突出している摺動体ｃを２つ用いて、２つの長穴ａ３・ａ３に組み合わせることもできる。
図１２は、回動体ｄの係止手段として、傾斜部分ｂ３１・ｂ３１とは異なる実施例を示したものである。傾斜部分ｂ３１・ｂ３１は、ベース金具ｂの立面部ｂ３・ｂ３において、後ろ穴ｂ９２・ｂ９２よりも後ろ側を、外側方向に行くにつれて低くして形成したものである。しかし、図１２では当接部分ｂ３２を形成している。
図１２中、右下に拡大した通り、回動体のボルト１２がナット２で締め付けられたとき、回動体側壁部ｄ２・ｄ２よりも後ろ側に位置する回動体底部ｄ１が引きつけられるように上がる。そして、立面部ｂ３・ｂ３を切り欠いて形成された当接部分ｂ３２に回動体底部ｄ１が当たって、回動体ｄが係止されるのである。
【００３０】
これまで述べた通り、本発明の屋根上取り付け金具Ａは、二段の屋根材５・５に差し掛かるようにして、後から取り付けられる。しかも、押圧金具ａの押圧部ａ４・ａ４によって被押圧片ｂ２を押圧して、下段側の屋根材５を第一ハゼ下挿入部ｂ６とで挟み込むようにし、回動体のボルト１２をナット２で締め付けることで回動体ｄの回動体底部ｄ１を押圧して、上段側の屋根材５を第二ハゼ下挿入部ｂ８とで挟み込むようにして屋根上取り付け金具Ａを固定する。このため、それぞれの屋根材５・５が、各部によって挟み込まれるようにして強固に固定される。
また、押圧金具ａの上面部ａ１の長さを比較的長くすることができるため、その上面部ａ１に、太陽光発電装置等の部材を取り付けやすくなった。このとき、長穴ａ３があけられておらず、摺動体ｃが組み合わせられていなくとも、上面に部材を取り付けることは可能である。
しかし、あらかじめ上面部ａ１に長穴ａ３があけられており、そこに摺動体ｃから突出している摺動体のボルト１１が組み合わせられていた場合には、その上に取り付ける部材を、ナット２を用いて容易に固定することができる。
図３０に示した屋根上取り付け金具Ａと比較してみると、まず、回動体ｄを用いることで、上の段の屋根材５を押圧するボルトの位置が、上の段の屋根材５の上になったため、押圧金具ａの長穴ａ３の長さを長くすることができ、従って摺動体ｃの摺動範囲を広くすることができた。また、ベース金具ｂが二段の屋根材５・５に架け渡されることで、摺動体のボルト１１の高さを一定にすることができた。さらに、二段の屋根材５・５に架け渡して、ベース金具ｂと押圧金具ａを挟み込むようにして二段の屋根材５・５に固定しているため、強度を保つことができた。
【実施例２】
【００３１】
本発明の第二実施例について、図面をもとに説明する。図１３から図２２は、本発明の屋根上取り付け金具Ａの実施例の説明図であり、図１３は斜視図、図１４は摺動体ｃを組み合わせる前の状態の分解斜視図、図１５（ア）（イ）は回動体の回動状態を示す説明図、図１６は平面図、図１７は正面図、図１８は側面図、図１９図２０は屋根材５への施工手順を示した図であり、図２１は摺動体ｃの説明図であり、図２２は取り付け状態の説明図であり、図２３は第一実施例と第二実施例とを比較した説明図である。
【００３２】
本発明の屋根上取り付け金具Ａは、押圧金具ａとベース金具ｂと摺動体ｃと回動体ｄとから成っている。そこで、これらの部材について、図１３から図１８に基づいて説明する。
押圧金具ａは、全体的に下向きに開口する形状をしており、上面部ａ１と、上面部ａ１の二辺を折り下げた側壁部ａ２・ａ２とを有している。そして、上面部ａ１には、取り付けたときに軒棟となる方向に長穴ａ３が形成されている。上面部ａ１の一側であって、取り付けたときに棟側となる側は折り下げられて棟側折り下げ部ａ８となっている。本実施例の棟側折り下げ部ａ８は、屋根上取り付け金具Ａが屋根材５に取り付けられたときに、回動体ｄの回動体底部ａ１に対して直角になるように設定されている。さらに、棟側折り下げ部ａ８の下縁が外側方向に折り曲げられてボルト貫通部ａ６を形成していて、ボルト貫通部ａ６には穴があけられている。
また、それぞれの側壁部ａ２・ａ２の一側であって、取り付けたときに軒側となる側には穴ａ５・ａ５があけられており、その穴ａ５・ａ５よりも下方の側壁部ａ２・ａ２端縁には、ベース金具ｂの被押圧片ｂ２を介して屋根材５の面板部５３を押圧することができる押圧部ａ４・ａ４が形成されている。
【００３３】
ベース金具ｂは、全体的に上向きに開口する形状をしており、底部ｂ１と、底部ｂ１の二辺を立ち上げた立面部ｂ３・ｂ３とを有している。
底部ｂ１において、取り付けたときに軒側となる側には切り込みが入れられており、屋根材５の面板部５３に押し付けられる被押圧片ｂ２となっている。
そして、被押圧片ｂ２よりも外側の端縁が折り下げられて第一折り下げ部ｂ５となっており、その下縁が内側方向に折り曲げられて第一ハゼ下挿入部ｂ６となっている。底部ｂ１において、取り付けられたときに棟側となる側の端縁は折り下げられて第二折り下げ部ｂ７となっており、その下端縁が外側方向に折り曲げられて第二ハゼ下挿入部ｂ８となっている。
第一折り下げ部ｂ５と第二折り下げ部ｂ７とは、二段にわたる同じ種類の屋根材５・５の軒側ハゼ部５１・５１に挿入されるため、図１８に示した通り、同じ高さに設定してある。また、第一折り下げ部ｂ５から第一ハゼ下挿入部ｂ６にかけての箇所と、第二折り下げ部ｂ７から第二ハゼ下挿入部ｂ８にかけての箇所とは略Ｌ字状となっており、軒側ハゼ部５１・５１の形状に沿っている。
立面部ｂ３・ｂ３の上縁はそれぞれ内側方向に折り曲げられて折り曲げ部ｂ４・ｂ４となっている。折り曲げ部ｂ４・ｂ４は、立面部ｂ３・ｂ３を折り曲げることで強度を出すとともに、押圧金具ａの側壁部ａ２・ａ２が左右にずれるのを防いでいる。ひいては、側壁部ａ２・ａ２の幅を規制して、その下方端縁に形成されている押圧部ａ４・ａ４が横方向にずれずに、ベース金具ｂの被押圧片ｂ２・ｂ２をしっかり押圧できる。
それぞれの立面部ｂ３・ｂ３において、取り付けたときに軒側となる側には、押圧金具ａを組み合わせるための左右貫通ボルト１０を通すための前穴ｂ９１・ｂ９１があけられており、棟側となる側には、回動体ｄを組み合わせるための左右貫通ボルト１０を通すための後ろ穴ｂ９２・ｂ９２があけられている。さらに、立面部ｂ３・ｂ３において後ろ穴ｂ９２・ｂ９２よりも棟側となる側は、外側方向に行くにつれて高さが低い傾斜部分ｂ３１・ｂ３１となっている。
【００３４】
本実施例の場合には、ベース金具ｂの折り曲げ部ｂ４・ｂ４と押圧金具ａの上面部ａ１との間には、後述する摺動体ｃを入れて摺動させることができるだけの隙間があいている。
つまり、第一実施例のように、押圧金具ａ１の上面部ａ１の高さとベース金具ｂの折り曲げ部ｂ４・ｂ４の高さが同じではない。摺動体ｃの分だけ、押圧金具ａの上面部ａ１の高さが低くなっている。
【００３５】
摺動体ｃは、平面部ｃ１を有している。平面部ｃ１の幅は、押圧金具ａの上面部ａ１よりも広く、ベース金具ｂの折り曲げ部ｂ４・ｂ４と押圧金具ａの上面部ａ１との間を摺動させることができる形状になっている。そして、 本実施例の場合には、平面部ｃ１の二辺をわずかに折り下げて側面部ｃ４・ｃ４を形成している。また、平面部ｃ１から上向きに、摺動体のボルト１１の先端が突出して取り付けられている。
回動体ｄは、上向きに開口する形状をしており、回動体底部ｄ１と、その二辺を立ち上げた回動体側壁部ｄ２・ｄ２とを有しており、回動体側壁部ｄ２・ｄ２には穴ｄ３・ｄ３があけられている。回動体底部ｄ１は、回動体側壁部ｄ２・ｄ２よりも後ろ側となる側が、前側よりも幅が広くなっている。つまり、回動体側壁部ｄ２・ｄ２はベース金具ｂの立面部ｂ３・ｂ３の内側にはいる幅であり、それよりも後ろで立ち上がっている面は、立面部ｂ３・ｂ３よりも外側に出る。さらに、回動体ｄには回動体のボルト１２が上向きに突出しており、屋根上取り付け金具Ａとして組み合わせられて屋根材５に取り付けられたときに、押圧金具ａの上面部ａ１・ａ１よりも低いものである。
【００３６】
これらの部材は、次のように組み合わせられている。
まず、ベース金具ｂの立面部ｂ３・ｂ３の間に押圧金具ａを組み合わせるが、押圧金具ａの穴ａ５・ａ５とベース金具ｂの前穴ｂ９１・ｂ９１とを合わせる。このとき、図２のように、押圧金具ａの上面部ａ１が下面側に来るようにして組み合わせる。続いて、ワッシャー３をはめてから、左右貫通ボルト１０を貫通して、ナット２で締め付けてベース金具ｂと押圧金具ａとを組み合わせる。このとき押圧金具ａは、ベース金具ｂに対して、左右貫通ボルト１０を介して回動させることができるように組み合わせられている。尚、本実施例の場合には、押圧金具ａの側壁部ａ２・ａ２間の幅は、ベース金具ｂの折り曲げ部ｂ４・ｂ４間にはまる幅となっている。
さらに、ベース金具ｂにおいて、屋根上に取り付けた時に棟側となる側に回動体ｄを組み合わせる。まず、ベース金具ｂの立面部ｂ３・ｂ３の内側に回動体ｄの回動体側壁部ｄ２・ｄ２をはめ、ベース金具ｂの後ろ穴ｂ９２・ｂ９２と回動体ｄの穴ｄ３・ｄ３とを合わせ、左右貫通ボルト１０を貫通させてワッシャー３やナット２を用いて、回動体ｄが回動可能になるように組み合わせる。本実施例の場合には、回動体底部ｄ１の周囲は立ち上げられている。
このようにして、ベース金具ｂと押圧金具ａとが、回動体ｄによって二段の屋根材５・５にわたって取り付けられたところに、前述の摺動体ｃを組み合わせる。
棟側から、ベース金具ｂの折り曲げ部ｂ４・ｂ４と押圧金具ａの上面部ａ１との間に摺動体ｃの平面部ｃ１を挿入するとよい。さらに、摺動体ｃを押圧金具ａの上面部ａ１に沿って摺動させて、所定の位置に移動させる。
尚、各部材を組み合わせている固定具として、左右貫通ボルト１０とナット２の組み合わせの代わりに、軸ピン等の他の固定具を用いてもよい。押圧金具ａとベース金具ｂとが回動可能に、ベース金具ｂと回動体ｄとが回動可能に組み合わせられていればよい。
【００３７】
このようにして製作された屋根上取り付け金具Ａの屋根材５への取り付け手順を説明する。まず、その屋根上取り付け金具Ａが取り付けられる屋根材５について、あらためて説明しておく。この屋根材５は金属板でできており、面板部５３と、その軒側を折り下げてから内側方向に折り曲げて形成された軒側ハゼ部５１と、面板部５３の棟側に形成された棟側ハゼ部５２とが形成されている。
そして、下地材６に止着具を介して固定されており、本発明の屋根上取り付け金具Ａは、この屋根材５に対して、施工後に取り付けることができることを特徴としている。
【００３８】
その取り付けは、図１９図２０の順で行われる。まず、屋根上取り付け金具Ａのベース金具ｂの第一ハゼ下挿入部ｂ６と第二ハゼ下挿入部ｂ８とを、二段にわたる屋根材５のそれぞれの軒側ハゼ部５１・５１の下に挿入する。                
次に、押圧金具ａを回動させて、そのボルト貫通部ａ６に形成された穴を、回動体ｄから突出している回動体のボルト１２に通す。このとき、押圧金具ａの押圧部ａ４・ａ４が被押圧片ｂ２の両端を押し、被押圧片ｂ２が屋根材５の面板部５３を押圧して食い込むように上面部ａ１の棟側を押す。さらに、ボルト貫通部ａ６の穴から突出している回動体のボルト１２を、ナット２で締め付ける。
このとき、屋根材５の軒側を、被押圧片ｂ２を介して押圧部ａ４と第一ハゼ下挿入部ｂ６とで、その上段の屋根材５の軒側を、回動体ｄの回動体底部ｄ１と第二ハゼ下挿入部ｂ８とでそれぞれ挟むため、強固な固定ができる。このようにして、二段の屋根材５・５の軒側を押圧させることで屋根上取り付け金具Ａが固定される。
【００３９】
このようにして、ベース金具ｂと押圧金具ａとが、回動体ｄによって二段の屋根材５・５にわたって取り付けられたところに、前述の摺動体ｃを組み合わせる。
棟側から、ベース金具ｂの折り曲げ部ｂ４・ｂ４と押圧金具ａの上面部ａ１との間に摺動体ｃの平面部ｃ１を挿入するとよい。さらに、摺動体ｃを押圧金具ａの上面部ａ１に沿って摺動させて、所定の位置に移動させる。
そして、その摺動体から上向きに突出している摺動体のボルト１２に、太陽光発電装置やアンテナやクーラー用室外機等を取り付ける。それらの機器を直接取り付ける場合もあるし、それらの支持枠等を取り付ける場合もある。                
本実施例の屋根上取り付け金具Ａは、ベース金具ｂの折り曲げ部ｂ４・ｂ４と押圧金具ａの上面部ａ１との間に挿入された摺動体ｃを軒棟方向に動かすことができる。このため、上面に取り付ける部材の位置を調整することができる。
図２０に示した通り、本実施例の場合には、屋根上取り付け金具Ａが屋根材５に取り付けられた後に、摺動体ｃをベース金具ｂの折り曲げ部ｂ４・ｂ４と押圧金具ａの上面部ａ１との間に挿入する。このため、図２３（ア）に示した第一実施例の場合よりも、いっそう摺動体ｃの摺動範囲を広くすることができる。第一実施例の場合には、摺動体のボルト１１の移動範囲は、押圧金具ａの上面部ａ１に形成された長穴１３の範囲である。しかし、第二実施例の摺動体のボルト１１の移動範囲は、ベース金具ｂの折り曲げ部ｂ４・ｂ４と押圧金具ａの上面部ａ１との間で摺動体ｃを摺動させることができる範囲なので、第一実施例よりも広い。図２２や図２３（イ）で、屋根材５の働き幅よりも広いことがわかる。
第二実施例の摺動体ｃは、部材や装置で挟み込むようにして押さえ込まれ、その押さえ込まれた摩擦力によって、軒側にずれることは、まずない。しかし、急勾配等で、万一ずれたとしても、図１４や図１７でわかるように、押圧金具ａの側壁部ａ２・ａ２において、穴ａ５・ａ５よりも上の箇所の上端を、上面部ａ１よりも高い位置に形成してあれば、摺動体ｃが軒側にずれても、そこに当たって止まる。
【実施例３】
【００４０】
本願は、これまで述べた通り、押圧金具ａとベース金具ｂと回動体ｄとの組み合わせにより、屋根上取り付け金具Ａを成していればよく、さまざまな実施例が考えられる。それらの実施例について、これまで述べたものと違う点を説明する。
まず、図２４のような実施例が考えられる。この屋根上取り付け金具Ａは、これまで述べた実施例とは摺動体ｃが異なっている。この摺動体ｃは、平面部ｃ１と、その左右両側縁を折り下げた側面部ｃ４・ｃ４とを有しており、側面部ｃ４・ｃ４は、さらに内側方向に折り曲げられている。そして、平面部ｃ１には、摺動体のボルト１１が上向きに突出している。
このような摺動体ｃを、図２４のように押圧金具ａにはめて用いる。屋根上取り付け金具Ａを屋根材５に取り付けた後に、摺動体ｃを所定の位置に動かして、摺動体のボルト１１に部材を取り付ける。
【実施例４】
【００４１】
図２５に示した実施例は、ベース金具ｂの立面部ｂ３・ｂ３の上端縁が切りっぱなしになっており、折り曲げ部ｂ４・ｂ４が形成されていない例である。ベース金具ｂに組み合わせられる押圧金具ａは、側壁部ａ２・ａ２の下端縁は、それぞれ外側方向に折り曲げられている。また、押圧金具ａの上面部ａ１には、軒棟方向に長穴ａ３があけられている。
その押圧金具ａの内側に組み合わせられる摺動体ｃは、下向きに開口する倒コ字状をしている。具体的には、平面部ｃ１と、平面部ｃ１の左右両端縁を折り下げた側面部ｃ４・ｃ４とを有しており、平面部ｃ１には、摺動体のボルト１１が上向きに突出している。
このような摺動体ｃを、図２５のように押圧金具ａの内側にはめて用いる。屋根上取り付け金具Ａを屋根材５に取り付けた後に、摺動体ｃを所定の位置に動かして、摺動体のボルト１１に部材を取り付ける。
【実施例５】
【００４２】
図２６に示した実施例は、押圧金具ａの上面部ａ１に、摺動体受け部ａ１１を溶接等により固定してある。摺動体受け部ａ１１に組み合わせられる摺動体ｃは、下向きに開口する倒コ字状をしている。具体的には、平面部ｃ１と、平面部ｃ１の左右両端縁を折り下げた側面部ｃ４・ｃ４とを有しており、平面部ｃ１には、摺動体のボルト１１が上向きに突出している。
このような摺動体ｃを、図のように押圧金具ａの摺動体受け部ａ１１にはめて用いる。屋根上取り付け金具Ａを屋根材５に取り付けた後に、摺動体ｃを所定の位置に動かして、摺動体のボルト１１に部材を取り付ける。
【実施例６】
【００４３】
図２７に示した実施例は、押圧金具ａには上面部ａ１がなく、押圧金具底部ａ７と、その左右を立ち上げた側壁部ａ２・ａ２とを有している。また、棟側となる側には、押圧金具底部ａ７から延出された棟側折り下げ部ａ８とボルト貫通部ａ６とが形成されている。
摺動体ｃは、屋根上取り付け金具Ａが屋根材５に取り付けられた後に、押圧金具ａの側壁部ａ２・ａ２上縁と、ベース金具ｂの折り曲げ部ｂ４・ｂ４との間にはめて用いる。そして、側壁部ａ２・ａ２上縁に沿って摺動させて、位置を調整する。  
【実施例７】
【００４４】
図２８に示した実施例は、図２７同様、上方に開口する形状の押圧金具ａを用いる。その押圧金具底部ａ７には、長穴ａ３があけられている。
摺動体ｃは、平面部ｃ１と、その二辺をわずかに立ち上げた側面部ｃ４・ｃ４とを有している。この摺動体ｃは、あらかじめベース金具ｂの底部ｂ１の上に載せておき、その後、ベース金具ｂと回動体ｄとを組み合わせる。屋根上取り付け金具Ａを取り付けたときに、押圧金具ａの長穴ａ３から摺動体のボルト１１が出ているので、それを動かして摺動体ｃの位置を調整する。
【実施例８】
【００４５】
また、図示していないが、図１の押圧金具ａにおいて、棟側折り下げ部ａ８よりも棟側となる箇所をそのままにしておき、それよりも軒側となる箇所を、ベース金具ｂよりもひと回り大きくする方法もある。
この場合、ベース金具ｂの上から押圧金具ａがかぶさり、棟側折り下げ部ａ８とボルト貫通部ａ６は元のままとなり、あとは押圧金具ａの内側にベース金具ｂが位置することになる。ベース金具ｂには、被押圧片ｂ２を形成しなくてよい。
そして、屋根材５に取り付けられたときには、押圧部ａ４・ａ４は、それぞれベース金具ｂの外側から直接屋根材５を押圧することになる。
【図面の簡単な説明】
【００４６】
【図１】本発明第一実施例の屋根上取り付け金具Ａの斜視図である。
【図２】本発明第一実施例の屋根上取り付け金具Ａの分解斜視図である。
【図３】本発明第一実施例の屋根上取り付け金具Ａの回動体ｄの回動状態を示す説明図である。
【図４】本発明第一実施例の屋根上取り付け金具Ａの平面図である。
【図５】本発明第一実施例の屋根上取り付け金具Ａの正面図である。
【図６】本発明第一実施例の屋根上取り付け金具Ａの側面図である。
【図７】（ア）（イ）は第一実施例の屋根材５への施工手順を示した説明図である。
【図８】（ア）（イ）は第一実施例の屋根材５への施工手順を示した説明図である。
【図９】本発明第一実施例の屋根上取り付け金具Ａの摺動体ｃの説明図である。
【図１０】本発明第一実施例の屋根上取り付け金具Ａの取り付け状態の説明図である。
【図１１】本発明第一実施例の一部変形例を示す説明図である。
【図１２】本発明第一実施例の一部変形例を示す説明図である。
【図１３】本発明第二実施例の屋根上取り付け金具Ａの斜視図である。
【図１４】本発明第二実施例の屋根上取り付け金具Ａの分解斜視図である。
【図１５】（ア）（イ）は本発明第二実施例の屋根上取り付け金具Ａの回動体ｄの回動状態を示す説明図である。
【図１６】本発明第二実施例の屋根上取り付け金具Ａの平面図である。
【図１７】本発明第二実施例の屋根上取り付け金具Ａの正面図である。
【図１８】本発明第二実施例の屋根上取り付け金具Ａの側面図である。
【図１９】第二実施例の屋根材５への施工手順を示した説明図である。
【図２０】第二実施例の屋根材５への施工手順を示した説明図である。
【図２１】本発明第二実施例の屋根上取り付け金具Ａの摺動体ｃの説明図である。
【図２２】本発明第二実施例の屋根上取り付け金具Ａの取り付け状態の説明図である。
【図２３】（ア）（イ）は本発明第一実施例と第二実施例の屋根上取り付け金具Ａを比較した説明図である。
【図２４】本発明第三実施例を示す説明図である。
【図２５】本発明第四実施例を示す説明図である。
【図２６】本発明第五実施例を示す説明図である。
【図２７】本発明第六実施例を示す説明図である。
【図２８】本発明第七実施例を示す説明図である。
【図２９】（ア）（イ）は従来技術の説明図である。
【図３０】（ア）（イ）（ウ）は従来技術の説明図である。
【図３１】（ア）（イ）は従来技術の説明図である。
【図３２】従来技術の説明図である。
【図３３】（ア）（イ）（ウ）（エ）は、図３２に示した屋根上取り付け金具Ａの取り付け状態の説明図である。
【図３４】図３２に示した屋根上取り付け金具Ａの摺動体ｃの説明図である。
【図３５】（ア）（イ）は図３２に示した屋根上取り付け金具Ａの摺動体ｃの説明図である。
【符号の説明】
【００４７】
Ａ      屋根上取り付け金具
Ａ１    挿入部
Ａ２    固定部
Ａ３    立ち上がり部
Ａ４    支持部
Ａ５    長穴
ａ      押圧金具
ａ１    上面部
ａ１１  摺動体受け部
ａ２    側壁部
ａ３    長穴
ａ４    押圧部
ａ５    穴
ａ６    ボルト貫通部
ａ７    押圧金具底部
ａ８    棟側折り下げ部
ａ９    上段屋根材押圧部
ｂ      ベース金具
ｂ１    底部
ｂ１１  レール溝
ｂ２    被押圧片
ｂ３    立面部
ｂ３１  傾斜部分
ｂ３２  当接部分
ｂ４    折り曲げ部
ｂ５    第一折り下げ部
ｂ６    第一ハゼ下挿入部
ｂ７    第二折り下げ部
ｂ８    第二ハゼ下挿入部
ｂ９    穴
ｂ９１  前穴
ｂ９２  後ろ穴
ｃ      摺動体
ｃ１    平面部
ｃ２    Ｖ字状部
ｃ４    側面部
ｄ      回動体
ｄ１    回動体底部
ｄ２    回動体側壁部
ｄ３    穴
ｅ      上部押さえ板
ｆ      下部支え板
ｇ      連結部
ｈ      押さえ片
ｉ      厚み代
ｉ’    厚み代
ｉ’’   厚み代
ｊ      帯状スライダー
ｊ１    鉤部
ｋ      本体
ｋ１    受け部
ｋ２    鉤部
１０    左右貫通ボルト
１１    摺動体のボルト
１２    回動体のボルト
１３    ベース金具のボルト
２      ナット
３      ワッシャー
４      押圧ボルト
５      屋根材
５’    屋根材
５１    軒側ハゼ部
５２    棟側ハゼ部
５３    面板部
６      下地材
７      吊子
８      止め板
９      ボルト
【図１】
2005009302.tif 000003
【図２】
2005009302.tif 000004
【図３】
2005009302.tif 000005
【図４】
2005009302.tif 000006
【図５】
2005009302.tif 000007
【図６】
2005009302.tif 000008
【図７】
2005009302.tif 000009
【図８】
2005009302.tif 000010
【図９】
2005009302.tif 000011
【図１０】
2005009302.tif 000012
【図１１】
2005009302.tif 000013
【図１２】
2005009302.tif 000014
【図１３】
2005009302.tif 000015
【図１４】
2005009302.tif 000016
【図１５】
2005009302.tif 000017
【図１６】
2005009302.tif 000018
【図１７】
2005009302.tif 000019
【図１８】
2005009302.tif 000020
【図１９】
2005009302.tif 000021
【図２０】
2005009302.tif 000022
【図２１】
2005009302.tif 000023
【図２２】
2005009302.tif 000024
【図２３】
2005009302.tif 000025
【図２４】
2005009302.tif 000026
【図２５】
2005009302.tif 000027
【図２６】
2005009302.tif 000028
【図２７】
2005009302.tif 000029
【図２８】
2005009302.tif 000030
【図２９】
2005009302.tif 000031
【図３０】
2005009302.tif 000032
【図３１】
2005009302.tif 000033
【図３２】
2005009302.tif 000034
【図３３】
2005009302.tif 000035
【図３４】
2005009302.tif 000036
【図３５】
2005009302.tif 000037